(57)【要約】【課題】被結束部材をしっかり結束することができる結束バンドのヘッドを提供する。【解決手段】結束バンド１のヘッド１１は、バンド１２の一端３１ａが挿入され、第１の方向の移動を許可し、第１の方向とは逆方向の第２の方向の移動を禁止する通路２１を有する。また、結束バンド１のヘッド１１は、バンド１２の他端３１ｂが、第１の方向とは異なる方向から挿入され、バンド１２を固定する固定部を有する。これにより、結束バンド１は、被結束部材をしっかり結束できる。【選択図】図１
2018118758.tif 000002
【特許請求の範囲】
【請求項１】
バンドの一端が挿入され、第１の方向の移動を許可し、前記第１の方向とは逆方向の第２の方向の移動を禁止する通路と、
前記バンドの他端が、前記第１の方向とは異なる方向から挿入され、前記バンドを固定する固定部と、
を有する結束バンドのヘッド。
【請求項２】
前記通路に挿入される前記バンドの方向と、前記固定部に挿入される前記バンドの方向は、直角である、
請求項１に記載の結束バンドのヘッド。
【請求項３】
前記通路に挿入される前記バンドの方向と、前記固定部に挿入される前記バンドの方向は、真逆である、
請求項１に記載の結束バンドのヘッド。
【請求項４】
前記第２の方向の移動禁止を解除するレバー、
を有する請求項１乃至３のいずれか一項に記載の結束バンドのヘッド。
【請求項５】
バンドの一端が挿入され、第１の方向の移動を許可し、前記第１の方向とは逆方向の第２の方向の移動を禁止する通路と、前記バンドの他端が、前記第１の方向とは異なる方向から挿入され、前記バンドを固定する固定部と、を有する結束バンドのヘッドを用いた結束方法において、
前記バンドの一端を、前記ヘッドの前記通路に挿入し、前記ヘッドから出し、
前記バンドの他端を、被結束部材の外周を周回させて、前記固定部に固定し、
前記ヘッドから出した前記バンドを、前記第１の方向に引っ張って、前記被結束部材を結束する、
結束方法。
【請求項６】
バンドの一端が挿入され、第１の方向の移動を許可し、前記第１の方向とは逆方向の第２の方向の移動を禁止する通路と、前記バンドの他端が、前記第１の方向とは異なる方向から挿入され、前記バンドを固定する固定部と、を有する結束バンドのヘッドを用いた結束方法において、
前記バンドの他端を、前記固定部に固定し、
前記バンドの一端を、被結束部材の外周を周回させて、前記ヘッドの前記通路に挿入し、前記ヘッドから出し、
前記ヘッドから出した前記バンドを、前記第１の方向に引っ張って、前記被結束部材を結束する、
結束方法。
【発明の詳細な説明】
【技術分野】
【０００１】
本発明は、結束バンドのヘッドおよび結束方法に関するものである。
【背景技術】
【０００２】
特許文献１には、線材束の径に応じた長さの結束バンドを使用することができるようにして、部品管理を容易に行なうことができるとともに、不要部分が発生しないようにして材料コストが増大するのを防止することができる結束バンドの組立方法が開示されている。
【０００３】
この特許文献１では、特許文献１の図２（ｂ）に示されているように、バンド部材１７の一端の、基部１２の係合溝１５に挿入される方向と、バンド部材１７の他端の、基部１２の挿通孔１２ａに挿入される方向とが同じになっている。
【先行技術文献】
【特許文献】
【０００４】
【特許文献１】特開平１１−４１７５９号公報
【発明の概要】
【発明が解決しようとする課題】
【０００５】
しかしながら、バンド部材の一端の、基部の係合溝に挿入される方向と、バンド部材の他端の、基部の挿通孔に挿入される方向とが同じである場合、結束バンドで結束される線材と、基部との間に隙間が生じる場合がある。
【０００６】
例えば、バンド部材が硬い場合、特許文献１の図２（ｂ）に示すバンド部材１７は、ワイヤーハーネス１８の外周に沿った円形状とはならず、涙形状となり、ワイヤーハーネス１８と基部１２との間に隙間が生じる場合がある。
【０００７】
このように、線材と基部との間に隙間が生じると、線材は、結束バンドでしっかりと結束されないという問題がある。
【０００８】
そこで本発明は、被結束部材をしっかり結束することができる技術を提供することを目的とする。
【課題を解決するための手段】
【０００９】
本発明の結束バンドのヘッドは、バンドの一端が挿入され、第１の方向の移動を許可し、前記第１の方向とは逆方向の第２の方向の移動を禁止する通路と、前記バンドの他端が、前記第１の方向とは異なる方向から挿入され、前記バンドを固定する固定部と、を有する。
【発明の効果】
【００１０】
本発明によれば、被結束部材をしっかり結束することができる。
【図面の簡単な説明】
【００１１】
【図１】本発明の一実施形態に係る結束バンドの概略斜視図である。
【図２】結束バンドで被結束部材を固定した例を示した図である。
【図３】通路に挿入されるバンドの挿入方向と、固定口に挿入されるバンドの挿入方向とが同じ結束バンドの例を示した図である。
【図４】図１のヘッドのＡ−Ａ断面図である。
【図５】バンドを示した図である。
【発明を実施するための形態】
【００１２】
以下、本発明の実施の形態を、図面を参照して説明する。以下では、本発明に係るヘッドを用いた結束バンドについて説明する。
【００１３】
図１は、本発明の一実施形態に係る結束バンドの概略斜視図である。図１に示すように、結束バンド１は、略立方体形状を有したヘッド１１と、板状のバンド１２と、を有している。図１では、バンド１２は、途中の図示を省略しているため２つに分かれているが、実際はつながっている。
【００１４】
以下では、＋ｚ軸方向から見たヘッド１１の面を上面、−ｚ軸方向から見たヘッド１１の面を底面とする。また、＋ｘ軸方向から見たヘッド１１の面を正面、−ｘ軸方向から見たヘッド１１の面を背面とする。また、＋ｙ軸方向から見たヘッド１１の面を右側面、−ｙ軸方向から見たヘッド１１の面を左側面とする。
【００１５】
ヘッド１１は、通路２１と、レバー２２と、固定口２３と、を有している。通路２１は、ヘッド１１の上面から底面まで貫通（図４を参照）している。バンド１２の一端３１ａは、ヘッド１１の底面から通路２１に挿入され、ヘッド１１の上面から出される（図２を参照）。
【００１６】
通路２１は、以下で説明するが、ラチェット機構を備えている。ラチェット機構は、通路２１に挿入されたバンド１２の、挿入方向の移動（ヘッド１１の底面から上面に向かう移動）を許可し、挿入方向とは逆方向の移動（ヘッド１１の上面から底面に向かう移動）を禁止する。
【００１７】
レバー２２は、通路２１に挿入されたバンド１２の、挿入方向の逆方向の移動禁止を解除する。例えば、レバー２２をヘッド１１の背面側（−ｘ軸方向）に押すと、バンド１２の挿入方向の逆方向の移動（ヘッド１１の上面から底面に向かう移動）が許可される。
【００１８】
固定口２３には、バンド１２の他端３１ｂが挿入される。固定口２３に挿入されたバンド１２の他端３１ｂは、ヘッド１１に固定される。バンド１２は、ヘッド１１に１度固定されると、以下で説明する爪部と係合し、ヘッド１１から外せないようになっている。
【００１９】
バンド１２は、複数の窪み３２を有している。窪み３２は、四角形状を有し、所定の間隔でバンド１２の１つの面に形成されている。ヘッド１１の通路２１に挿入されるバンド１２は、窪み３２がヘッド１１の背面側を向くようにして、ヘッド１１の通路２１に挿入される。ヘッド１１の固定口２３に挿入されるバンド１２は、窪み３２がヘッド１１の上面側を向くようにして、ヘッド１１の固定口２３に挿入される。
【００２０】
図２は、結束バンド１で被結束部材を固定した例を示した図である。図２において、図１と同じものには同じ符号が付してある。図２には、図１に示した結束バンド１の他に、チューブや導線等の線状部材である被結束部材４１と、板部材５１と、が示してある。
【００２１】
図２の例では、結束バンド１は、被結束部材４１を板部材５１に結束（固定）している。通路２１に挿入されるバンド１２の挿入方向（＋ｚ軸方向）と、固定口２３に挿入されるバンド１２の挿入方向（−ｘ軸方向）は、直角（略直角を含む）である。このため、被結束部材４１と、板部材５１との間の隙間は小さくなる。これにより、結束バンド１は、被結束部材４１をしっかり固定することができる。
【００２２】
これに対し、通路に挿入されるバンドの挿入方向と、固定口に挿入されるバンドの挿入方向とが同じ結束バンドでは、被結束部材をしっかり固定することができない場合がある。
【００２３】
図３は、通路に挿入されるバンドの挿入方向と、固定口に挿入されるバンドの挿入方向とが同じ結束バンドの例を示した図である。図３に示す結束バンドは、通路の挿入口Ａ１に挿入されるバンドの挿入方向と、固定口Ａ２に挿入されるバンドの挿入方向とが同じになっている。
【００２４】
結束バンドのバンドは、硬い場合がある。例えば、バンドは、重い線材や、たくさんの線材をまとめて結束する場合、切断等を防止するため強度を増す必要がある。強度を増すには、例えば、バンドの幅や厚さを大きくする必要があり、その結果、バンドは硬くなる。また、バンドは、材料によって硬くなる場合もある。
【００２５】
バンドは硬いと、曲がりにくくなり、図３に示すように、被結束部材を結束する部分の形状が涙形状となる。このため、図３の矢印Ａ３に示すように、被結束部材とヘッドとの間に隙間が生じる場合がある。この場合、被結束部材は、結束バンドでしっかりと固定されなくなる。
【００２６】
これに対し、結束バンド１は、上記で説明したように、被結束部材４１と、板部材５１との間の隙間が小さくなる。このため、結束バンド１は、被結束部材４１をしっかり固定することができる。
【００２７】
図２に戻って、結束バンド１による被結束部材４１の固定方法の例ついて説明する。まず、バンド１２の一端３１ａを、ヘッド１１の底面から通路２１に挿入する。そして、バンド１２の一端３１ａは、ヘッド１１の上面から少しだけ出すようにする。例えば、バンド１２の一端３１ａは、バンド１２の他端３１ｂが被結束部材４１を周回し、固定口２３に挿入できるよう、ヘッド１１の上面から少しだけ出すようにする。また、バンド１２の一端３１ａは、バンド１２の一端３１ａ側を持って、＋ｚ軸方向に引っ張ることができるよう、ヘッド１１の上面から少しだけ出すようにする。
【００２８】
切断したバンド１２の一端３１ａを、通路２１に挿入し、ヘッド１１の上面から少しだけ出すと、バンド１２の他端３１ｂを、板部材５１の穴５１ａに通す。そして、板部材５１の穴５１ａに通したバンド１２の他端３１ｂを、被結束部材４１の外周を周回させ、固定口２３に挿入し、ヘッド１１に固定する。
【００２９】
バンド１２の他端３１ｂを固定口２３に挿入し、ヘッド１１に固定させると、ヘッド１１の上面から少しだけ出したバンド１２の一端３１ａ側を持って、＋ｚ軸方向へ引っ張る。これにより、被結束部材４１は、結束バンド１によって、板部材５１に固定される。
【００３０】
このように、バンド１２の一端３１ａを、ヘッド１１の底面から通路２１に挿入し、ヘッド１１の上面から少しだけ出す。そして、バンド１２の他端３１ｂを、被結束部材４１の下方から、被結束部材４１の外周を周回させて固定口２３に挿入し、ヘッド１１に固定する。固定口２３は、水平方向にあるので、ユーザの視点がヘッド１１の上面側にあっても視認しやすく、バンド１２の他端３１ｂを、固定口２３に挿入しやすい。つまり、結束バンド１を用いれば、容易に被結束部材４１を板部材５１に固定できる。
【００３１】
これに対し、図３の結束バンドでは、バンドの両端は、ヘッドの底面（図３の下方側の面）から挿入される。そのため、ユーザの視点がヘッドの上面側にあると、バンドをヘッドに挿入する穴が視認できないため、被結束部材の結束が困難である。
【００３２】
なお、図２の例では、結束バンド１を用いて、被結束部材４１を板部材５１に固定する例を示したが、結束バンド１は、複数の被結束部材を結束する（纏めて結束する）ように使用することもできる。すなわち、結束バンド１の使い方は、図２の例に限られない。複数の被結束部材を結束する場合も、上記方法と同様に結束すれば、容易に複数の被結束部材を結束することができる。
【００３３】
また、結束バンド１の結束方法は、次のような方法であってもよい。まず、バンド１２の他端３１ｂを、ヘッド１１の固定口２３に挿入し、バンド１２の他端３１ｂをヘッド１１に固定する。次に、バンド１２の一端３１ａを、被結束部材４１の外周を周回させ、ヘッド１１の底面から通路２１に挿入し、ヘッド１１の上面から少し出す。そして、ヘッド１１の上面から少し出したバンド１２の一端３１ａを、＋ｚ軸方向へ引っ張る。これによっても、被結束部材４１を結束することができる。
【００３４】
図４は、図１のヘッド１１のＡ−Ａ断面図である。図４において、図１と同じものには同じ符号が付してある。
【００３５】
図４に示すように、ヘッド１１は、ｚ軸方向に平行な通路２１を有している。通路２１は、バンド１２が挿入される挿入口２１ａと、挿入されたバンド１２を出すための出口２１ｂと、を有している。挿入口２１ａは、ヘッド１１の底面に設けられ、出口２１ｂは、ヘッド１１の上面に設けられている。
【００３６】
レバー２２には、爪部２４が設けられている。爪部２４は、挿入口２１ａから挿入されたバンド１２の窪み３２と係合する。
【００３７】
図５は、バンド１２を示した図である。図５（Ａ）は、バンド１２の正面図を示し、図５（Ｂ）は、図５（Ａ）のＡ−Ａ断面図を示している。図５において、図１と同じものには同じ符号が付してある。
【００３８】
図５（Ａ）および図５（Ｂ）に示すように、バンド１２には、窪み３２が設けられている。窪み３２は、バンド１２の１つの面に所定の間隔で設けられている。窪み３２は、図５（Ｂ）に示すように、底面３２ａと、側面３２ｂとを有している。
【００３９】
図４の説明に戻る。バンド１２は、窪み３２が設けられている面が、爪部２４の方（−ｘ軸方向）を向くように、挿入口２１ａから通路２１に挿入される。通路２１に挿入されたバンド１２は、挿入方向の移動においては、窪み３２が爪部２４を容易に乗り越えるため移動が許可される。一方、挿入方向とは逆方向の移動においては、バンド１２は、窪み３２の側面３２ｂが爪部２４の係合面２４ａと接触することにより移動が禁止される。すなわち、バンド１２は、窪み３２と、ヘッド１１の爪部２４とのラチェット機構によって、挿入方向の移動が許可され、逆方向の移動が禁止される。
【００４０】
なお、レバー２２を−ｘ軸方向に押すと、爪部２４は、バンド１２の窪み３２から離れる。これにより、バンド１２の挿入方向とは逆方向の移動禁止が解除される。
【００４１】
ヘッド１１は、爪部２５を有している。バンド１２は、窪み３２が設けられている面が、ヘッド１１の上面側（＋ｚ軸方向）を向くように、固定口２３から挿入される。固定口２３に挿入されたバンド１２は、窪み３２の側面３２ｂが、爪部２５の係合面２５ａと接触することにより、挿入方向とは逆方向の移動（＋ｘ軸方向の移動）が禁止される。また、固定口２３に挿入されたバンド１２は、他端３１ｂが通路２１を形成している通路壁２１ｃに当たることによって、挿入方向への移動が禁止される。これにより、固定口２３に挿入されたバンド１２は、ヘッド１１から抜き出すことができなくなり、また、挿入方向への移動が制限されることにより、ヘッド１１に固定される。
【００４２】
以上説明したように、結束バンド１のヘッド１１は、バンド１２の一端３１ａが挿入され、挿入方向の移動を許可し、挿入方向とは逆方向の移動を禁止する通路２１と、バンド１２の他端３１ｂが、挿入方向とは異なる方向から挿入され、バンド１２を固定する爪部２５と、を有する。これにより、結束バンド１は、被結束部材をしっかり結束することができる。
【００４３】
また、バンド１２の一端３１ａを、ヘッド１１の通路２１に挿入し、ヘッド１１から所定の長さだけ出し、バンド１２の他端３１ｂを、被結束部材の外周を周回させて、爪部２５部に固定する。そして、ヘッド１１から所定の長さだけ出されたバンド１２を、挿入方向に引っ張る。これにより、結束バンド１を用いて、被結束部材をしっかり結束することができる。また、結束バンド１を用いて、被結束部材を容易に結束することができる。
【００４４】
なお、ヘッド１１の通路２１に挿入されるバンド１２の挿入方向と、爪部２５に挿入されるバンド１２の挿入方向は、真逆（略真逆を含む）であってもよい。例えば、図１に示した固定口２３は、ヘッド１１の上面に設けられていてもよい。そして、バンド１２の他端３１ｂは、ヘッド１１の上面に設けられた固定口２３から、挿入されるようにしてもよい。
【符号の説明】
【００４５】
１  結束バンド
１１  ヘッド
１２  バンド
２１  通路
２２  レバー
２３  固定口
２４  爪部
２４ａ  係合面
３２  窪み
３２ａ  底面
３２ｂ  側面
【図１】
2018118758.tif 000003
【図２】
2018118758.tif 000004
【図３】
2018118758.tif 000005
【図４】
2018118758.tif 000006
【図５】
2018118758.tif 000007